(57)【要約】【課題】画像を自動回転させることにより画像欠けの可能性がある場合には、画像の向きに基づき用紙を好適に選択することで画像欠けの発生を防止する仕組みを提供する。【解決手段】本画像形成システムは、出力する画像データを処理する画像処理装置と、画像データに従って用紙に画像を出力する画像出力装置とが通信可能に接続される。本画像処理装置は、用紙に画像を出力する際に、用紙に出力する画像を回転すると画像欠けの可能性があるかどうかを判断し、そうであれば、画像データの向きに合わせた用紙の向き情報を生成し、画像データに付与して画像出力装置へ転送する。一方、画像出力装置は、画像データに付与された用紙の向き情報を取得し、画像データを用いて、取得した用紙の向き情報に一致する用紙に画像を出力する。【選択図】  図５
2018170609.tif 000002
【特許請求の範囲】
【請求項１】
画像データに基づく画像を形成する画像形成部を有する画像形成システムであって、
画像データを受信する受信手段と、
前記受信された画像データの向きに対応する向きの用紙を選択し、前記受信された画像データを回転せずに当該選択された用紙に画像を形成する第１の処理を行う第１の処理手段と、
用紙を選択し、当該選択された用紙の向きに応じて前記受信された画像データを回転し、当該選択された用紙に当該回転された画像データに基づく画像を形成する第２の処理を行う第２の処理手段と、
画像データを回転せずに画像を形成すべき旨を示す情報を取得する取得手段と、
を有し、
前記情報の取得に基づいて、前記第２の処理手段による前記第２の処理ではなく、前記第１の処理手段による前記第１の処理を行うことを特徴とする画像形成システム。
【請求項２】
出力する画像データを処理する画像処理装置と、前記画像データに従って用紙に画像を出力する画像出力装置とが通信可能に接続された画像形成システムであって、
前記画像処理装置は、
用紙に画像を出力する際に、用紙に出力する画像を回転すると画像欠けの可能性があるかどうかを判断する判断手段と、
前記判断手段によって画像欠けの可能性があると判断すると、画像データの向きに合わせた用紙の向き情報を生成する生成手段と、
前記画像データを、前記用紙の向き情報を生成した場合には該用紙の向き情報を付与して前記画像出力装置へ転送する転送手段と
を備え、
前記画像出力装置は、
前記画像データに付与された前記用紙の向き情報を取得する取得手段と、
前記画像データを用いて、前記取得手段によって取得した前記用紙の向き情報に一致する用紙に画像を出力する出力手段と
を備えることを特徴とする画像形成システム。
【請求項３】
前記画像出力装置は、
前記用紙の向き情報が前記画像データに付与されていない場合であって、かつ、前記画像データに対応する画像サイズに適した用紙がある場合には、該画像サイズに適した用紙の向きに合わせて、画像データを回転させる回転手段をさらに備え、
前記出力手段は、
前記回転手段によって回転された画像データを用いて、前記画像サイズに適した用紙に画像を出力することを特徴とする請求項２に記載の画像形成システム。
【請求項４】
前記画像データに前記用紙の向き情報が付与されていれば該用紙の向き情報に一致する用紙、又は、前記画像データに前記用紙の向き情報が付与されていなければ前記画像の向きに一致する用紙がなければ、用紙なしのエラーを前記画像処理装置及び前記画像出力装置の少なくとも一方の表示部に表示するエラー処理手段をさらに備えることを特徴とする請求項３に記載の画像形成システム。
【請求項５】
前記生成手段は、前記判断手段によって画像欠けの可能性があると判断された場合であって、前記画像データに対応する画像サイズに適した用紙が縦方向及び横方向の向きで給紙可能な場合に、画像データの向きに合わせた用紙の向き情報を生成することを特徴とする請求項２乃至４の何れか１項に記載の画像形成システム。
【請求項６】
前記判断手段は、画像を出力する領域が前記画像出力装置の最大領域である場合に、画像欠けの可能性があると判断することを特徴とする請求項２乃至５の何れか１項に記載の画像形成システム。
【請求項７】
前記判断手段は、縁なしでの画像出力である場合に、画像欠けの可能性があると判断することを特徴とする請求項２乃至５の何れか１項に記載の画像形成システム。
【請求項８】
画像データに従って用紙に画像を出力する画像出力装置に通信可能に接続された画像処理装置であって、
用紙に画像を出力する際に、用紙に出力する画像を回転すると画像欠けの可能性があるかどうかを判断する判断手段と、
前記判断手段によって画像欠けの可能性があると判断すると、画像データの向きに合わせた用紙の向き情報を生成する生成手段と、
前記画像データを、前記用紙の向き情報を生成した場合には該用紙の向き情報を付与して前記画像出力装置へ転送する転送手段と
を備えることを特徴とする画像処理装置。
【請求項９】
出力する画像データを処理する画像処理装置に通信可能に接続された画像出力装置であって、
用紙に画像を出力する際に、用紙に出力する画像を回転すると画像欠けの可能性がある場合に前記画像処理装置によって前記画像データに付与される、画像データの向きに合わせた用紙の向き情報を取得する取得手段と、
前記画像データを用いて、前記取得手段によって取得した前記用紙の向き情報に一致する用紙に画像を出力する出力手段と
を備えることを特徴とする画像出力装置。
【請求項１０】
画像形成装置であって、
用紙に画像を出力する際に、用紙に出力する画像を回転すると画像欠けの可能性があるかどうかを判断する判断手段と、
前記判断手段によって画像欠けの可能性があると判断すると、画像データの向きに合わせた用紙の向き情報を生成する生成手段と、
前記画像データを用いて、前記生成手段によって生成した前記用紙の向き情報に一致する用紙に画像を出力する出力手段と
を備えることを特徴とする画像形成装置。
【請求項１１】
出力する画像データを処理する画像処理装置と、前記画像データに従って用紙に画像を出力する画像出力装置とが通信可能に接続された画像形成システムの制御方法であって、
前記画像処理装置において、
判断手段が、用紙に画像を出力する際に、用紙に出力する画像を回転すると画像欠けの可能性があるかどうかを判断する判断工程と、
生成手段が、前記判断工程で画像欠けの可能性があると判断すると、画像データの向きに合わせた用紙の向き情報を生成する生成工程と、
転送手段が、前記画像データを、前記用紙の向き情報を生成した場合には該用紙の向き情報を付与して前記画像出力装置へ転送する転送工程と
を実行し、
前記画像出力装置において、
取得手段が、前記画像データに付与された前記用紙の向き情報を取得する取得工程と、
出力手段が、前記画像データを用いて、前記取得工程で取得した前記用紙の向き情報に一致する用紙に画像を出力する出力工程と
を実行することを特徴とする画像形成システムの制御方法。
【請求項１２】
画像データに従って用紙に画像を出力する画像出力装置に通信可能に接続された画像処理装置の制御方法であって、
判断手段が、用紙に画像を出力する際に、用紙に出力する画像を回転すると画像欠けの可能性があるかどうかを判断する判断工程と、
生成手段が、前記判断工程で画像欠けの可能性があると判断すると、画像データの向きに合わせた用紙の向き情報を生成する生成工程と、
転送手段が、前記画像データを、前記用紙の向き情報を生成した場合には該用紙の向き情報を付与して前記画像出力装置へ転送する転送工程と
を実行することを特徴とする画像処理装置の制御方法。
【請求項１３】
出力する画像データを処理する画像処理装置に通信可能に接続された画像出力装置の制御方法であって、
取得手段が、用紙に画像を出力する際に、用紙に出力する画像を回転すると画像欠けの可能性がある場合に前記画像処理装置によって前記画像データに付与される、画像データの向きに合わせた用紙の向き情報を取得する取得工程と、
出力手段が、前記画像データを用いて、前記取得工程で取得した前記用紙の向き情報に一致する用紙に画像を出力する出力工程と
を実行することを特徴とする画像出力装置の制御方法。
【請求項１４】
画像形成装置の制御方法であって、
判断手段が、用紙に画像を出力する際に、用紙に出力する画像を回転すると画像欠けの可能性があるかどうかを判断する判断工程と、
生成手段が、前記判断工程で画像欠けの可能性があると判断すると、画像データの向きに合わせた用紙の向き情報を生成する生成工程と、
出力手段が、前記画像データを用いて、前記生成工程で生成した前記用紙の向き情報に一致する用紙に画像を出力する出力工程と
を実行することを特徴とする画像形成装置の制御方法。
【請求項１５】
画像データに従って用紙に画像を出力する画像出力装置に通信可能に接続された画像処理装置の制御方法における各工程をコンピュータに実行させるためのプログラムであって、前記制御方法は、
判断手段が、用紙に画像を出力する際に、用紙に出力する画像を回転すると画像欠けの可能性があるかどうかを判断する判断工程と、
生成手段が、前記判断工程で画像欠けの可能性があると判断すると、画像データの向きに合わせた用紙の向き情報を生成する生成工程と、
転送手段が、前記画像データを、前記用紙の向き情報を生成した場合には該用紙の向き情報を付与して前記画像出力装置へ転送する転送工程と
を実行することを特徴とするプログラム。
【請求項１６】
出力する画像データを処理する画像処理装置に通信可能に接続された画像出力装置の制御方法における各工程をコンピュータに実行させるためのプログラムであって、前記制御方法は、
取得手段が、用紙に画像を出力する際に、用紙に出力する画像を回転すると画像欠けの可能性がある場合に前記画像処理装置によって前記画像データに付与される、画像データの向きに合わせた用紙の向き情報を取得する取得工程と、
出力手段が、前記画像データを用いて、前記取得工程で取得した前記用紙の向き情報に一致する用紙に画像を出力する出力工程と
を実行することを特徴とするプログラム。
【請求項１７】
画像形成装置の制御方法における各工程をコンピュータに実行させるためのプログラムであって、前記制御方法は、
判断手段が、用紙に画像を出力する際に、用紙に出力する画像を回転すると画像欠けの可能性があるかどうかを判断する判断工程と、
生成手段が、前記判断工程で画像欠けの可能性があると判断すると、画像データの向きに合わせた用紙の向き情報を生成する生成工程と、
出力手段が、前記画像データを用いて、前記生成工程で生成した前記用紙の向き情報に一致する用紙に画像を出力する出力工程と
を実行することを特徴とするプログラム。
【請求項１８】
画像データに基づく画像を形成する画像形成部を有する画像形成システムの制御方法であって、
受信手段が、画像データを受信する受信工程と、
第１の処理手段が、前記受信された画像データの向きに対応する向きの用紙を選択し、前記受信された画像データを回転せずに当該選択された用紙に画像を形成する第１の処理を行う第１の処理工程と、
第２の処理手段が、用紙を選択し、当該選択された用紙の向きに応じて前記受信された画像データを回転し、当該選択された用紙に当該回転された画像データに基づく画像を形成する第２の処理を行う第２の処理工程と、
取得手段が、画像データを回転せずに画像を形成すべき旨を示す情報を取得する取得工程と、
を有し、
前記情報の取得に基づいて、前記第２の処理工程で前記第２の処理ではなく、前記第１の処理工程で前記第１の処理を行うことを特徴とする画像形成システムの制御方法。
【請求項１９】
画像データに基づく画像を形成する画像形成部を有する画像形成システムの制御方法における各工程をコンピュータに実行させるためのプログラムであって、前記制御方法は、
受信手段が、画像データを受信する受信工程と、
第１の処理手段が、前記受信された画像データの向きに対応する向きの用紙を選択し、前記受信された画像データを回転せずに当該選択された用紙に画像を形成する第１の処理を行う第１の処理工程と、
第２の処理手段が、用紙を選択し、当該選択された用紙の向きに応じて前記受信された画像データを回転し、当該選択された用紙に当該回転された画像データに基づく画像を形成する第２の処理を行う第２の処理工程と、
取得手段が、画像データを回転せずに画像を形成すべき旨を示す情報を取得する取得工程と、
を有し、
前記情報の取得に基づいて、前記第２の処理工程で前記第２の処理ではなく、前記第１の処理工程で前記第１の処理を行うことを特徴とするプログラム。
【発明の詳細な説明】
【技術分野】
【０００１】
本発明は、画像形成システム、画像処理装置、画像出力装置、画像形成装置、それらの制御方法、及びプログラムに関するものである。
【背景技術】
【０００２】
レーザプリンタやデジタル複合機等の画像形成システムの画像出力装置は、用紙に対する印字可能領域と印字不可領域（以下、余白と称する。）を有している。特に、画像出力装置によっては余白の幅が４辺とも異なるものもある。４辺の余白の幅が異なると、画像出力装置に保持されている用紙の向きに合わせて画像を回転して出力する際に画像の欠落（以下、画像欠けと称する。）が発生することや、印字する用紙の向きによっては出力できないことがある。
【０００３】
このような問題の対策として、画像出力装置の余白を左右対称及び上下対称の幅に大きく設定し、また画像回転がある用紙サイズに関しては、４辺ともに余白の幅を均一に大きく設けることによって画像欠けを防いでいるのが現状である。しかし、近年、画像出力装置において出力可能な印字領域を大きくすることが求められてきている。そこで、特許文献１では、画像出力装置を利用するオペレータの指示によって適切な印字領域を選択させ、出力可能な最大の印字領域で出力するといった技術が提案されている。
【先行技術文献】
【特許文献】
【０００４】
【特許文献１】特開２００７−２８６５５５号公報
【発明の概要】
【発明が解決しようとする課題】
【０００５】
しかしながら、上記従来技術には以下に記載する課題がある。上記従来技術における画像出力装置は、受信した原稿データを出力する場合に、画像出力装置の複数の用紙トレイから、受信した原稿データの用紙サイズに合致する用紙を検索し、その用紙に画像出力を行う。ここで、当該画像出力装置は、用紙サイズが一致しているが受信した原稿データの向きと異なる用紙が選択された場合は、出力するデータを画像回転させて、搬送される用紙の向きと一致させて出力している。しかし、全ての辺の余白幅が等しいわけではない画像出力装置で出力する際に、受信した原稿データの向きと搬送される用紙の向きを一致させるために画像回転を行うと、画像欠けが発生することがある。なお、このような画像欠けは、最大印字領域モードである縁なし印字を行う際に発生する可能性が高い。
【０００６】
本発明は、上述の問題に鑑みて成されたものであり、画像を自動回転させることにより画像欠けの可能性がある場合には、画像の向きに基づき用紙を好適に選択することで画像欠けの発生を防止する仕組みを提供することを目的とする。
【課題を解決するための手段】
【０００７】
本発明は、出力する画像データを処理する画像処理装置と、前記画像データに従って用紙に画像を出力する画像出力装置とが通信可能に接続された画像形成システムであって、前記画像処理装置は、用紙に画像を出力する際に、用紙に出力する画像を回転すると画像欠けの可能性があるかどうかを判断する判断手段と、前記判断手段によって画像欠けの可能性があると判断すると、画像データの向きに合わせた用紙の向き情報を生成する生成手段と、前記画像データと、前記用紙の向き情報を生成した場合には該用紙の向き情報とを前記画像出力装置へ転送する転送手段とを備え、前記画像出力装置は、前記画像データに付与された前記用紙の向き情報を取得する取得手段と、前記画像データを用いて、前記取得手段によって取得した前記用紙の向き情報に一致する用紙に画像を出力する出力手段とを備えることを特徴とすることを特徴とする。
【発明の効果】
【０００８】
本発明によれば、画像を自動回転させることにより画像欠けの可能性がある場合には、画像の向きに基づき用紙を好適に選択することで画像欠けの発生を防止することができる。
【図面の簡単な説明】
【０００９】
【図１】画像を回転させて出力する際に発生しうる画像欠けを説明する図。
【図２】一実施形態に係る画像形成システム２００の全体構成を示す図。
【図３】一実施形態に係る画像形成システム２００の構成を示すブロック図。
【図４】一実施形態に係る印字領域を設定するＵＩ画面を示す図。
【図５】一実施形態に係る画像処理装置２０１の画像形成動作を示したフローチャート。
【図６】Ｓ５０３の給紙向き情報作成処理の動作を示したフローチャート。
【図７】一実施形態に係る画像出力装置２０２の出力動作を示したフローチャート。
【図８】一実施形態に係る画像出力装置２０２の給紙向き情報があるときの用紙出力処理を示したフローチャート。
【図９】一実施形態に係る画像出力装置２０２の給紙向き情報がないときの用紙出力処理を示したフローチャート。
【図１０】一実施形態に係る画像出力装置２０２において画像向きに応じて選択される所定の給紙向きを有する用紙を示す図。
【発明を実施するための形態】
【００１０】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確立されるのであって、以下の個別の実施形態によって限定されるわけではない。
【００１１】
＜画像形成システムの構成＞
まず、図２を参照して、本発明の一実施形態に係る画像形成システム２００の全体構成例について説明する。画像形成システム２００は、例えば電子写真方式の画像形成システムである。
【００１２】
画像形成システム２００は、画像データを処理する画像処理装置２０１と、処理した画像データに従って画像を出力する画像出力装置２０２とを備える。また、画像形成システム２００では、クライアントコンピュータ２２０と画像処理装置２０１とがネットワーク、例えばイーサネット（登録商標）ケーブル２３０を介して通信可能な状態に接続されている。また、画像処理装置２０１と画像出力装置２０２とは、制御イーサネットケーブル２３１と画像ビデオケーブル２３２とを介して接続されている。
【００１３】
本実施形態では、画像出力装置２０２は、イーサネットケーブル２３０に直接接続されていない。つまり、画像出力装置２０２とクライアントコンピュータ２２０とは、画像処理装置２０１を介して通信を行う。しかしながら、このような形態は本発明の一例であり、限定する意図はない。例えば、画像出力装置２０２は、イーサネットケーブル２３０に直接接続されてもよい。この場合、画像出力装置２０２は、画像処理装置２０１を介さずに、直接クライアントコンピュータ２２０と通信可能な状態に接続されうる。
【００１４】
クライアントコンピュータ２２０は、アプリケーションを起動させて画像処理装置２０１に印刷指示などを行う。画像処理装置２０１は、画像出力装置２０２と連携して画像処理を実行する。
【００１５】
画像出力装置２０２は、複数の用紙トレイ２１０ａ〜２１０ｂを備える。画像出力装置２０２は、後述する外部インタフェース（以下、外部Ｉ／Ｆと記す。）３０５を介して画像処理装置２０１と制御イーサネットケーブル２３１で接続されている。印字出力を行う際は、印字データに設定されている用紙サイズ設定と一致する用紙を画像出力装置２０２の用紙トレイ２１０ａ〜２１０ｂから検索し、一致する用紙に画像を出力する。ここで、印字データとは、印刷の場合は印刷対象の印字データであり、コピーの場合は読取対象の原稿から読み取った印字データとなる。以下では、これらの印字データを原稿データと称する。
【００１６】
画像出力装置２０２の用紙トレイ２１０に積載される用紙には、Ａ４サイズやＢ５サイズ等のように、画像出力装置２０２の給紙カセットに対して縦方向（長辺給紙方向）又は横方向（短辺給紙方向）のどちらかの向きに用紙を載置できる用紙サイズがある。このような用紙に画像を出力する場合、原稿データの向きと画像出力装置２０２に載置されている用紙向きが異なるときは、後述する画像出力装置２０２のプリンタ部３３１によって、用紙の向きに合わせて画像を回転して出力することが行われている。
【００１７】
一方、Ａ３サイズやＢ４サイズなどの用紙は、画像出力装置２０２の構造的な搬送幅制限によって、用紙の向きによっては画像出力装置２０２内を搬送することができない用紙サイズである。したがって、搬送が可能な向きに固定して用紙を画像出力装置２０２に載置される。このような用紙に画像を出力する場合には、原稿データに設定されている用紙向きと画像出力装置２０２の用紙の向きが一致しており、後述する画像出力装置２０２のプリンタ部３３１によって、用紙の向きに合わせて画像を回転することなく画像出力が行われる。
【００１８】
＜画像形成システムのハードウェア構成＞
次に、図３を参照して、本実施形態に係る画像形成システム２００のハードウェア構成について説明する。画像出力装置２０２は、ハードウェア構成として、図２を用いて説明した用紙トレイ２１０に加えて、システム制御部３００、プリンタ部３３１、スキャナ部３４１、及び操作部３７１を備える。これらのハードウェアはシステムバス３０４を介して接続されている。また、プリンタ部３３１には、画像を印字した用紙に対してステイプルや製本処理等を実行するフィニッシャが接続される。システム制御部３００は、ＣＰＵ３０１、ＲＡＭ３０２、ＲＯＭ３０３、外部インタフェース（以下では、インタフェースをＩ／Ｆと略記する。）３０５、ビデオＩ／Ｆ３０６、用紙トレイＩ／Ｆ３１０、エンジンＩ／Ｆ３２０、リーダＩ／Ｆ３３０を備える。
【００１９】
ＣＰＵ３０１は、中央演算装置であり、画像出力装置２０２全体を統括的に制御する。ＣＰＵ３０１は、ＲＯＭ３０３に記憶された制御プログラムに基づき、システムバス３０４に接続されたエンジンＩ／Ｆ３２０を介してプリンタ部３３１に出力情報としての画像信号を出力する。ＲＡＭ３０２は、ＣＰＵ３０１の主メモリ又はワークエリア等として機能するランダムアクセスメモリであり、不図示の増設ポートに接続されるオプションメモリによりメモリ容量を拡張できるように構成されている。なお、ＲＡＭ３０２は、出力情報を展開する領域や環境データを格納する領域として用いられる。ＲＯＭ３０３は、ＣＰＵ３０１によって実行される制御プログラムなどが予め格納されている。なお、ここでは、ＲＡＭ３０２及びＲＯＭ３０３のメモリ構成例について説明したが、ＲＯＭ３０３に代えて、或いはＲＯＭ３０３に加えてハードディスクドライブ（ＨＤＤ）を備えるように構成してもよい。
【００２０】
ＣＰＵ３０１は、外部Ｉ／Ｆ３０５とビデオＩ／Ｆ３０６とを介して画像処理装置２０１との通信処理を行うことができる。外部Ｉ／Ｆ３０５は、制御イーサネットケーブル２３１を介して画像処理装置２０１と接続される。ビデオＩ／Ｆ３０６は、画像ビデオケーブル２３２を介して画像処理装置２０１と接続される。
【００２１】
用紙トレイＩ／Ｆ３１０は、用紙トレイ２１０との通信及びその制御を行う。エンジンＩ／Ｆ３２０は、プリンタ部３３１との通信及びその制御を行う。
【００２２】
プリンタ部３３１は、画像形成部３３２、給紙部３３３、及びフィニッシャＩ／Ｆ３３４を備える。ＣＰＵ３０１は、プログラム用ＲＯＭ３０３に記憶された制御プログラムに基づき、プリンタ部３３１における画像形成部３３２や給紙部３３３などの制御を行う。画像形成部３３２は、ＣＰＵ３０１からの印字出力指示に従って、記録媒体である用紙に画像を出力する。給紙部３３３は、ＣＰＵ３０１からの印字出力指示に従って、出力する記録媒体の用紙を選択し、給紙Ｉ／Ｆ３１０を介して用紙トレイから所定の用紙の給紙を行う。
【００２３】
一方、画像処理装置２０１は、ＣＰＵ３５１、ＲＡＭ３５２、ＲＯＭ３５３、ネットワークＩ／Ｆ３５４、ネットワークＩ／Ｆ３５５、及びビデオＩ／Ｆ３５６を備える。ＣＰＵ３５１は、システムバス３５７を介して画像処理装置２０１の各部の制御、演算、及び記憶装置（ＲＡＭ３５２やＲＯＭ３５３）に格納されたプログラムの実行を行う。ＲＡＭ３５２は、ＣＰＵ３５１のワークメモリとして使用される。ＲＯＭ３５３は、ＣＰＵ３５１により実行される各種制御プログラム及び画像データを予め格納している。なお、ここでは、ＲＡＭ３５２及びＲＯＭ３５３のメモリ構成例について説明したが、ＲＯＭ３５３に代えて、或いはＲＯＭ３５３に加えてハードディスクドライブ（ＨＤＤ）を備えるように構成してもよい。
【００２４】
ネットワークＩ／Ｆ３５４は、イーサネットケーブル２３０を介してクライアントコンピュータ２２０などの他の装置と接続し、通信を行う。ネットワークＩ／Ｆ３５５は、制御イーサネットケーブル２３１を介して画像出力装置２０２と制御コマンドの送受信を行う。ビデオＩ／Ｆ３５６は、画像ビデオケーブル２３２を介して画像出力装置２０２と画像データの送受信を行う。
【００２５】
上記構成を有する画像形成システム２００では、例えば、クライアントコンピュータ２２０内の文書処理プログラムなどにより生成された画像データを受信し、プリンタ部３３１により印刷を行う。
【００２６】
＜印字領域を設定するＵＩ画面＞
次に、図４の印字領域設定のＵＩ画面を参照して、本実施形態に係る印字領域設定の処理手順を説明する。印刷設定画面４００は、クライアントコンピュータ２２０上の表示部に表示される。印刷設定画面４００は、少なくとも印字領域の最大化選択肢４０１、方向設定選択肢４０２、用紙トレイ選択肢４０３、原稿サイズの選択肢４０６、用紙サイズの選択肢４０７、ＯＫボタン４０４、及びキャンセルボタン４０５を含んで構成される。
【００２７】
オペレータが印刷設定画面４００で印字領域の最大化選択肢４０１を選択すると、画最大印字領域が設定され、後述する図１０で示す印字領域結果で用紙への画像出力が行われる。オペレータが印刷設定画面４００で方向設定選択肢４０２を選択すると、用紙に対して出力する画像の向きが設定される。ここで、最大印字領域とは、画像出力装置２０２で画像を出力することが可能な最大領域を示す。
【００２８】
オペレータが印刷設定画面４００で用紙トレイ選択肢４０３を選択すると、原稿データを印刷する用紙が選択した用紙トレイから給紙される。しかし、印字領域の最大化選択肢４０１が選択されている場合は、原稿データの向きに応じて給紙する用紙を自動で選択するため、用紙トレイの選択肢は無効になる。この場合は選択できないように、例えばグレーアウト表示等で表示制御されることが望ましい。或いは、オペレータが選択しようとすると、印字領域の最大化選択肢４０１が選択されているため、用紙を選択できない旨をポップアップ画面等が表示されるように制御してもよい。
【００２９】
オペレータが原稿サイズの選択肢４０６を選択すると、例えばコピー処理の場合においてスキャナ部３４１に載置する原稿のサイズを選択することができる。なお、原稿をスキャナ部３４１に載置すると自動でサイズを判別し、原稿サイズの選択肢４０６に反映されるように制御してもよい。ここでは、コピージョブの例で説明しているが、本発明はこれに限定されず、外部装置や内部のメモリから取得した印字データ（原稿データ）に基づいて印刷するプリントジョブの場合にも適用することができる。その場合、原稿サイズを選択する必要はなく、対象の印字データのサイズに基づいて制御されることになる。
【００３０】
オペレータが用紙サイズの選択肢４０７を選択すると、画像を出力する用紙のサイズを選択することができる。図４の例では原稿サイズと同じという選択肢が例示してあるが、他のサイズを指定することもできる。また、コピージョブ以外の場合は、原稿サイズと同じという選択肢はなく、用紙のサイズを選択することになる。
【００３１】
ＯＫボタン４０４が押下されると、印刷設定画面４００で指定した設定が有効になり、印刷設定画面４００が閉じられる。キャンセルボタン４０５が押下されると、印刷設定画面４００で指定した設定が無効になり、印刷設定画面４００が閉じられる。
【００３２】
＜画像欠けについて＞
ここで、図１を参照して、画像を回転させて出力する際に発生しうる画像欠けについて説明する。画像欠けが発生する一例として、余白の幅が４辺とも異なる画像出力装置で横向きの原稿データ１０１を縦置き（長辺置き）１０２の向きの用紙に最大の印字領域で出力する例を挙げる。
【００３３】
縦置き（長辺置き、縦向き）１０２と横置き（短辺置き、横向き）１０３の両方の向きで用紙を給紙可能な画像出力装置は、原稿データ１０１の用紙サイズに合致した用紙を画像出力装置に保持している用紙から選択して出力する。一方、用紙向きが一致していない場合は、画像出力装置は画像回転を行い、用紙と同じ向きに原稿データ１０１を出力する。
【００３４】
このとき出力した用紙（縦置き出力結果１０４、横置き出力結果１０５）を重ね合わせて（重ねあわせ画像１０６）比較した場合、画像出力装置の余白幅が４辺とも異なるので、差分１０７が発生する。差分１０７は画像出力装置の構造上の制限により画像欠けとなる。
【００３５】
そこで、本実施形態に係る画像形成システムは、図１０に示すように、縦方向（長辺給紙方向）及び横方向（短辺給紙方向）の両方向で用紙を給紙可能な用紙サイズである場合には、画像の向きに応じて給紙する用紙を選択する。１００１及び１００２には原稿データを示す。このように、原稿データには画像向きがあり、１００１は横方向の原稿データであり、１００２は縦方向の原稿データである。ここで、本実施形態では、余白がゼロの印字、即ち、縁なし印字が選択されている場合には、画像の自動回転が発生する可能性が高いと判断し、給紙する用紙の向きに合わせて画像を回転するのではなく、画像向き一致する給紙向きを有する用紙を選択する。つまり、横方向の原稿データ１００１であれば、横方向の給紙向きである用紙１００３を選択し、縦方向の原稿データ１００２であれば縦方向の給紙向きである用紙１００４を選択する。これにより、画像の自動回転を行うことなく画像形成を行うことができる。
【００３６】
＜画像処理装置の処理手順＞
次に、図５のフローチャートを参照して、本実施形態に係る画像処理装置２０１の画像形成動作における処理手順を説明する。以下で説明する処理は、画像処理装置２０１の各機能モジュールによって実現される。なお、本フローに関わるプログラムは、ＲＯＭ３５３に記憶されており、例えばＣＰＵ３５１によってＲＡＭ３５２に読み出されて実行される。また、本フローチャートは、例えばイーサネットケーブル２３０を介してＮＷ  Ｉ／Ｆ３５５において外部装置から印刷ジョブ等を受信すると開始される。ここでは、当該ジョブに印字データ（原稿データ）が付与されているものとする。
【００３７】
Ｓ５０１で、ＣＰＵ３５１は、受信した原稿データに含まれる印字領域の最大化選択肢４０１の選択情報を取得し、最大印字領域（最大出力領域）で処理するか否かを判定する。ここでは最大化選択肢４０１が選択されていれば最大印字領域で処理すると判定し、選択されていなければ最大印字領域で処理するとは判定しない。受信した原稿データを出力可能な最大印字領域で処理すると判定した場合はＳ５０２に進み、そうでない場合はＳ５０４に進む。なお、最大印字領域での画像出力は、本実施形態では例えば縁なし印字のことを示す。
【００３８】
Ｓ５０２で、ＣＰＵ３５１は、画像出力装置２０２の画像形成部３３２によって受信した原稿データを最大印字領域で出力させるために、出力用の印字可能な画像データを作成する。具体的には、ＣＰＵ３５１は、受信した原稿データを最大印字領域で出力させるために、受信した原稿データについて余白幅をゼロに、即ち、印字不可領域をなくし、原稿データと同じサイズの印字可能な画像データをラスタライズ化処理（ＲＩＰ処理）で作成する。ＣＰＵ３５１は、作成した印字可能な画像データをＲＡＭ３５２又はＲＯＭ３５３に一時保存し、Ｓ５０３に処理を進める。
【００３９】
Ｓ５０３で、ＣＰＵ３５１は、画像出力装置２０２の用紙トレイ２１０から原稿データの画像向きに合わせた用紙を給紙するために、受信した原稿データの画像向きから給紙向き情報を作成する。すなわち、ＣＰＵ３５１は、原稿データ（画像データ）を回転せずに当該画像データに基づく画像を用紙に形成（印刷）すべき旨を示す情報として、給紙向き情報を生成する。さらに、ＣＰＵ３５１は、作成した給紙向き情報を、Ｓ５０２で作成した印字可能な画像データに付随させて、ＲＡＭ３５２又はＲＯＭ３５３に一時保存し、処理をＳ５０５に進める。用紙の給紙向き情報の作成の詳細については、後述する図６にて説明する。
【００４０】
一方、Ｓ５０１で最大印字領域で処理しないと判断すると、Ｓ５０４に進む。Ｓ５０４で、ＣＰＵ３５１は、画像出力装置２０２がもつ余白の幅、即ち、受信した原稿データから画像出力装置２０２の印字不可領域を引いたサイズの印字可能な画像データをラスタライズ化処理（ＲＩＰ処理）で作成する。さらに、ＣＰＵ３５１は、作成した印字可能な画像データを、ＲＡＭ３５２又はＲＯＭ３５３に一時保存し、Ｓ５０５に処理を進める。
【００４１】
Ｓ５０５で、ＣＰＵ３５１は、ＲＡＭ３５２又はＲＯＭ３５３に一時保存した印字可能な画像データと、それに付随する印刷設定データと、そしてＳ５０３で作成した用紙の給紙向き情報があれば、用紙の給紙向き情報とを、画像出力装置２０２に転送する。これらの情報を転送が完了すると、処理を終了する。
【００４２】
＜給紙向き情報作成処理＞
次に、図６を参照して、図５のＳ５０３の給紙向き情報作成処理の詳細な処理手順について説明する。以下で説明する処理は、画像処理装置２０１の各機能モジュールによって実現される。なお、本フローに関わるプログラムは、ＲＯＭ３５３に記憶されており、例えばＣＰＵ３５１によってＲＡＭ３５２に読み出されて実行される。
【００４３】
Ｓ６０１で、ＣＰＵ３５１は、Ｓ５０２で受信した原稿データをラスタライズ化処理した際に得られる、原稿データの用紙サイズを取得する。なお、ＣＰＵ３５１は、Ｓ５０２でラスタライズ化処理を実行した際に、当該用紙サイズをＲＡＭ３５２等に保持しておいてもよいし、ラスタライズ化処理した原稿データを参照することによって用紙サイズを取得してもよい。そして、ＣＰＵ３５１は、取得した用紙サイズについて、画像出力装置２０２で当該原稿データで画像出力を行う際に出力する用紙の向きによって画像回転の必要がある用紙サイズであるか否かを判断する。画像回転の必要がある用紙サイズとは、画像出力装置２０２の所定位置において、縦方向（長辺給紙方向）及び横方向（短辺給紙方向）の両方向に用紙を置くことが可能な用紙サイズのことである。ここで、所定位置とは画像出力装置２０２において画像形成を実行する際に当該用紙が搬送される任意の位置に対応する。
【００４４】
印字可能な画像データと出力する用紙の用紙サイズは一致しているが向きが不一致の場合は、用紙の向きに合わせて印字可能な画像データを画像回転させる必要がある。これに該当する用紙サイズであるならば（Ｓ６０１：画像回転あり用紙）、ＣＰＵ３５１はＳ６０２に処理を進める。一方、画像出力装置２０２に用紙を置くときに決められた一方向にだけしか置くことができない用紙がある。これに該当する用紙サイズであるならば（Ｓ６０１：画像回転なし用紙）、画像回転が不要であるため、給紙向き情報を作成せずにＣＰＵ３５１は処理を終了する。
【００４５】
Ｓ６０２で、ＣＰＵ３５１は、Ｓ５０２で受信した原稿データをラスタライズ化処理した際に得られる原稿向きを取得する。なお、ＣＰＵ３５１は、Ｓ５０２でラスタライズ化処理を実行した際に、当該原稿向きをＲＡＭ３５２等に保持しておいてもよいし、ラスタライズ化処理した原稿データを参照することによって当該原稿向きを取得してもよい。取得した原稿データの原稿向きが縦方向（長辺給紙方向）であれば（Ｓ６０２：縦）、ＣＰＵ３５１はＳ６０３に処理を進める。一方、原稿向きが横方向（短辺給紙方向）であれば（Ｓ６０２：横）、ＣＰＵ３５１はＳ６０４に処理を進める。即ち、ここでは、原稿データの原稿向きに合わせて用紙の給紙方向を決定している。これにより、余白がゼロ（縁なし印字）の場合における画像形成時に画像の自動回転が発生しないように用紙の給紙向きを制御している。Ｓ６０２の判定に従って以下で説明するＳ６０３及びＳ６０４で給紙向き情報が生成される。
【００４６】
Ｓ６０３で、ＣＰＵ３５１は、縦方向（長辺給紙方向）の原稿データと一致する縦方向（長辺給紙方向）に置かれた用紙を給紙することを給紙向き情報に設定し、ＲＡＭ３５２に給紙向き情報を保存して処理を終了する。一方、Ｓ６０４で、ＣＰＵ３５１は、横方向（短辺給紙方向）の原稿データと一致する横方向（短辺給紙方向）に置かれた用紙を給紙することを給紙向き情報に設定し、ＲＡＭ３５２に給紙向き情報を保存して処理を終了する。なお、本実施形態では、縁なし印字の場合の制御として説明しているが、本発明はこれに限定されず、縁なし印字でない場合であっても、画像欠けが発生する可能性があれば上記制御を行ってもよい。この場合、例えば用紙サイズと、画像サイズとの比較により画像欠けが発生する可能性があるか否かを予測するようにしてもよい。
【００４７】
＜画像出力装置の処理手順＞
次に、図７を参照して、本実施形態における画像出力装置２０２の出力動作を説明する。以下で説明する処理は、図２に示す画像形成システム２００の画像出力装置２０２の各機能モジュールによって実現される。なお、本フローに関わるプログラムは、ＲＯＭ３０３に記憶されており、例えばＣＰＵ３０１によってＲＡＭ３０２に読み出されて実行される。また、以下のフローは画像処理装置２０１からＳ５０５で画像データが転送され、画像出力装置２０２の外部インタフェース３０５がその画像データを受信すると開始される。
【００４８】
Ｓ７０１で、ＣＰＵ３０１は、Ｓ５０５で画像処理装置２０１から転送された印字可能な画像データ及びそれに付随する印刷設定データからＳ６０３又はＳ６０４によって設定された給紙向き情報の有無を確認する。給紙向き情報がある（Ｓ７０１：あり）と判断すれば、ＣＰＵ３０１はＳ７０２に処理を進める。もし給紙向き情報がない（Ｓ７０１：なし）と判断すれば、ＣＰＵ３０１はＳ７０３に処理を進める。すなわちＳ７０１は、画像データを回転せずに画像を形成すべき旨を示す情報（給紙向き情報）を受信したか否かに基づいて、Ｓ７０２とＳ７０３のどちらの処理を行うか判定している。Ｓ７０２は、後述されるように、画像データの向きに合わせて用紙を選択し、画像データを回転せずにその用紙に画像を形成（印刷）する処理である。Ｓ７０３は、後述されるように、用紙を選択し、その用紙の向きに合わせて（必要に応じて）画像データを回転し、その用紙に画像を形成（印刷）する処理である。
【００４９】
Ｓ７０２で、ＣＰＵ３０１は、図８を用いて後述する給紙向き情報がある場合の用紙出力処理１を実行し、Ｓ７０４に処理を進める。一方、Ｓ７０３では、ＣＰＵ３０１は、図９を用いて後述する給紙向き情報がない場合の用紙出力処理２を実行し、Ｓ７０４に処理を進める。Ｓ７０４で、ＣＰＵ３０１は、Ｓ７０２又はＳ７０３で出力された用紙を、画像出力装置２０２の機外に排出し、処理を終了する。
【００５０】
＜用紙出力処理１＞
次に、図８を参照して、図７のＳ７０２における給紙向き情報があるときの用紙出力処理１について説明する。以下で説明する処理は、図２に示す画像形成システム２００の画像出力装置２０２の各機能モジュールによって実現される。なお、本フローに関わるプログラムは、ＲＯＭ３０３に記憶されており、例えばＣＰＵ３０１によってＲＡＭ３０２に読み出されて実行される。
【００５１】
Ｓ８０１で、ＣＰＵ３０１は、Ｓ５０５で画像処理装置２０１から転送された印字可能な画像データ及びそれに付随する印刷設定データから出力用紙サイズ情報を取得し、画像出力装置２０２が保持している用紙に一致する用紙サイズであるかを判断する。一致する用紙サイズがあれば（Ｓ８０１：該当用紙あり）、ＣＰＵ３０１はＳ８０２に処理を進める。一方、一致する用紙サイズがなければ（Ｓ８０１：該当用紙なし）、ＣＰＵ３０１はＳ８０５に処理を進める。
【００５２】
次に、Ｓ８０２で、ＣＰＵ３０１は、Ｓ５０５で画像処理装置２０１から転送された印字可能な画像データ及びそれに付随する印刷設定データからＳ６０３又はＳ６０４で設定した給紙向き情報を取得する。さらに、ＣＰＵ３０１は、Ｓ８０１で判断した画像出力装置２０２が保持している用紙のうち、さらに給紙向きが一致する用紙があるかを判断する。給紙向きが一致する用紙があれば（Ｓ８０２：該当用紙あり）、ＣＰＵ３０１はＳ８０３に処理を進める。一方、給紙向きが一致する用紙がなければ（Ｓ８０２：該当用紙なし）、ＣＰＵ３０１はＳ８０５に処理を進める。
【００５３】
次に、Ｓ８０３で、ＣＰＵ３０１は、Ｓ８０１及びＳ８０２で判断した用紙を給紙するように、プリンタ部３３１の給紙部３３３に指示し、Ｓ８０４に処理を進める。このＳ８０３は、画像データの向きに応じた向きの用紙を選択する処理に相当する。Ｓ８０４で、ＣＰＵ３０１は、用紙トレイＩ／Ｆ３１０を介して用紙トレイ２１０から給紙した用紙に、プリンタ部３３１の画像形成部３３２で印字処理を実行し、処理を終了する。このＳ８０４は、画像データを回転せずに、その画像データに基づく画像をＳ８０３で選択された用紙に形成（印刷）する処理に相当する。このように、原稿データの画像向きと一致する用紙向きで載置された用紙を選択・給紙することができるので、給紙した用紙に自動回転を行うことなく画像を出力することができ、画像の自動回転による画像の欠落を防ぐことができる。
【００５４】
一方、Ｓ８０５で、ＣＰＵ３０１は、エラー処理手段として機能し、Ｓ８０１又はＳ８０２で該当する用紙がないと判断した場合、画像処理装置２０１及び画像出力装置２０２の少なくとも一方の表示部に、用紙なしを示すエラー表示を行い、Ｓ８０６に処理を進める。Ｓ８０６で、ＣＰＵ３０１は、画像出力装置２０２の用紙トレイ２１０に新しい用紙が補給されたかどうかを判断する。新しい用紙が補給されたことを確認したならば（Ｓ８０６：はい）、ＣＰＵ３０１はＳ８０１に処理を戻す。一方、新しい用紙が補給されないならば（Ｓ８０６：いいえ）、Ｓ８０５の処理を繰り返す。
【００５５】
＜用紙出力処理２＞
次に、図９を参照して、図７のＳ７０３における給紙向き情報がないときの用紙出力処理２について説明する。以下で説明する処理は、図２に示す画像形成システム２００の画像出力装置２０２の各機能モジュールによって実現される。なお、本フローに関わるプログラムは、ＲＯＭ３０３に記憶されており、例えばＣＰＵ３０１によってＲＡＭ３０２に読み出されて実行される。
【００５６】
Ｓ９０１で、ＣＰＵ３０１は、Ｓ５０５で画像処理装置２０１から転送された印字可能な画像データ及びそれに付随する印刷設定データから、出力用紙サイズ情報を取得し、画像出力装置２０２が保持する用紙と一致する用紙サイズであるかを判断する。一致する用紙サイズがあれば（Ｓ９０１：該当用紙あり）、ＣＰＵ３０１はＳ９０２に処理を進める。一方、一致する用紙サイズがなければ（Ｓ９０１：該当用紙なし）、ＣＰＵ３０１はＳ９０６に処理を進める。このＳ９０１は、画像データのサイズに対応するサイズの用紙を選択する処理に相当する。
【００５７】
次に、Ｓ９０２で、ＣＰＵ３０１は、Ｓ９０１で判断した画像出力装置２０２が保持する用紙の向きとラスタライズ化処理した画像の向きが一致しているかを判断する。それぞれの向きが一致しているのであれば（Ｓ９０２：一致）、ＣＰＵ３０１はＳ９０３に処理を進める。一方、一致していないのであれば（Ｓ９０２：不一致）、ＣＰＵ３０１はＳ９０５に処理を進める。Ｓ９０５で、ＣＰＵ３０１は、Ｓ９０１で画像形成システム２００が保持する用紙の向きとラスタライズ化処理した画像の向きが一致していないため、プリンタ部３３１の画像形成部３３２によって画像回転処理を実行させ、Ｓ９０３に処理を進める。このＳ９０５は、用紙の向きに合わせて画像データを回転する処理に相当する。
【００５８】
次に、Ｓ９０３で、ＣＰＵ３０１は、Ｓ９０１及びＳ９０２で判断した用紙を給紙するように、プリンタ部３３１の給紙部３３３に指示し、Ｓ９０４に処理を進める。Ｓ９０４で、ＣＰＵ３０１は、用紙トレイＩ／Ｆ３１０を介して用紙トレイ２１０から給紙した用紙に、プリンタ部３３１の画像形成部３３２で印字処理を実行し、処理を終了する。このＳ９０３は、Ｓ９０５によって回転された画像データあるいは回転の必要のない画像データに基づく画像を、Ｓ９０１で選択された用紙に形成（印刷）する処理に相当する。
【００５９】
一方、Ｓ９０６で、ＣＰＵ３０１は、エラー処理手段として機能し、Ｓ９０１で該当する用紙がないと判断したため、画像処理装置２０１及び画像出力装置２０２の少なくとも一方の表示部に用紙なしを示すエラー表示を行い、Ｓ９０７に処理を進める。Ｓ９０７で、ＣＰＵ３０１は、画像出力装置２０２の用紙トレイ２１０に新しい用紙が補給されたことを確認したならば（Ｓ９０７：はい）、Ｓ９０１に処理を戻す。新しい用紙が補給されないならば（Ｓ９０７：いいえ）、Ｓ９０６の処理をＣＰＵ３０１は繰り返す。
【００６０】
以上説明したように、本画像形成システムは、出力する画像データを処理する画像処理装置と、画像データに従って用紙に画像を出力する画像出力装置とが通信可能に接続される。本画像処理装置は、用紙に画像を出力する際に、用紙に出力する画像を回転すると画像欠けの可能性があるかどうかを判断し、そうであれば、画像データの向きに合わせた用紙の向き情報を生成し、画像データに付与して画像出力装置へ転送する。一方、画像出力装置は、画像データに付与された用紙の向き情報を取得し、画像データを用いて、取得した用紙の向き情報に一致する用紙に画像を出力する。これにより、画像形成システム２００において、画像を自動回転させることにより画像欠けの可能性がある場合には、画像の向きに基づき用紙を好適に選択することで画像欠けの発生を防止することができる。なお上記実施形態では、給紙向き情報が、画像データを回転せずに当該画像データに基づく画像を用紙に形成すべき旨を示す情報として機能していたが、次のような変形も可能である。例えば、画像処理装置は、給紙向きの情報と、画像データを回転せずに当該画像データに基づく画像を用紙に形成すべき旨を示す情報とを別々に生成し、画像出力装置に送信するようにしても良い。または画像処理装置は、画像データを給紙向き情報とともに画像出力装置に送り、画像データを回転せずに当該画像データに基づく画像を用紙に形成すべき旨を示す情報を必要に応じて画像出力装置に送るようにしても良い。この場合、画像出力装置は、画像データを回転せずに当該画像データに基づく画像を用紙に形成すべき旨を示す情報を受信したか否かによって、Ｓ７０２の処理かＳ７０３の処理のどちらを行うか判定すればよい。
【００６１】
なお、本発明は上記実施形態に限らず様々な変形が可能である。例えば、上記実施形態では、画像処理装置２０１と画像出力装置２０２とを含む画像形成システムの形態で説明した。しかし、画像処理装置２０１及び画像出力装置２０２の両方の機能を備えるＭＦＰ等の画像形成装置の形態として本発明を適用することもできる。その場合は、画像形成装置は、用紙に画像を出力する際に、用紙に出力する画像を回転すると画像欠けの可能性があるかどうかを判断し、そうであれば、画像データの向きに合わせた用紙の向き情報を生成する。さらに、画像形成装置は、画像データを用いて、生成した用紙の向き情報に一致する用紙に画像を出力する。これにより、上記画像形成システムと同様に、画像を自動回転させることにより画像欠けの可能性がある場合には、画像の向きに基づき用紙を好適に選択することで画像欠けの発生を防止することができる。
【００６２】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６３】
２００：画像形成システム、２０１：画像処理装置、２０２：画像出力装置、２１０：用紙トレイ、２２０：クライアントコンピュータ、２３０：イーサネットケーブル、２３１：制御イーサネットケーブル、２３２：画像転送ケーブル、３０１：画像出力装置のＣＰＵ、３０２：画像出力装置のＲＡＭ、３０３：画像出力装置のＲＯＭ、３０４：画像出力装置のシステムバス、３０５：画像出力装置の外部Ｉ／Ｆ、３０６：画像出力装置のビデオＩ／Ｆ、３１０：用紙トレイＩ／Ｆ、３２０：エンジンＩ／Ｆ、３３１：プリンタ部、３３２：画像形成部、３３３：給紙部、３５１：画像処理装置のＣＰＵ、３５２：画像処理装置のＲＡＭ、３５３：画像処理装置のＲＯＭ、３５４：画像出力装置のネットワークＩ／Ｆ、３５５：画像出力装置のネットワークＩ／Ｆ、３５６：画像出力装置のビデオＩ／Ｆ、３５７：画像処理装置のシステムバス
【図１】
2018170609.tif 000003
【図２】
2018170609.tif 000004
【図３】
2018170609.tif 000005
【図４】
2018170609.tif 000006
【図５】
2018170609.tif 000007
【図６】
2018170609.tif 000008
【図７】
2018170609.tif 000009
【図８】
2018170609.tif 000010
【図９】
2018170609.tif 000011
【図１０】
2018170609.tif 000012